(57)【要約】【課題】この発明は、前方前面、すなわちパッケージの前方壁面（１２）の下方領域に形成された開口部（３６）を有するヒンジ蓋付紙巻きたばこ用パッケージに関する。【解決手段】製品を特定するための内側包装に適用されたマーク表示部（３８）が、この開口部を通して見えるようにしている。
2005537193.tif 000002
【特許請求の範囲】
【請求項１】
少なくとも二つのブランク、すなわち好ましくはすべての側面において紙巻きたばこの一群を包む内側ブランクと、特にヒンジ蓋付パッケージを形成するための、紙、（薄い）ボール紙又は同様の材料から成る外側のパッケージ・ブランクとで構成される紙巻きたばこ用パッケージにおいて、
a)このパッケージ・ブランクは、少なくとも一つのパッケージ壁面の領域に、少なくとも一つの開口部（３６，３７）を設けられていることと、
b)この内側ブランクは、少なくとも一つの印刷又はエンボス加工されたマーク表示部（３８）を有し、このマーク表示部は、完成品のパッケージにおいて、少なくとも部分的に開口部（３６，３７）の領域内に在り、その開口部を通して外側から見えることと、
を特徴とするパッケージ。
【請求項２】
マーク表示部（３８）が、パッケージの前方壁面、特にヒンジ蓋付パッケージのパッケージ前方壁面（１２）の開口部（３６，３７）の領域内における内側包装の内側前方壁面（２７）上に配置されていることを特徴とする請求項１に記載の紙巻きたばこ用パッケージ。
【請求項３】
開口部（３６，３７）は、少なくとも部分的にカラー部、特にカラー前方壁面（２４）の領域内に配置されており、その際このカラー部又はカラー前方壁面（２４）は、カラー開口部（３９）を有し、このカラー開口部は、内側ブランク又はマーク表示部（３８）がパッケージの外側から見えるような形で少なくとも部分的に開口部（３６，３７）の領域内に配置されていることを特徴とする請求項１又は２に記載のパッケージ。
【請求項４】
開口部（３６，３７）は、ブランクを製造する際に打ち抜きによって作成され、三角形、正方形、長方形又は円形の形状に形成されていることを特徴とする請求項１から３までのいずれか一つに記載のパッケージ。
【請求項５】
カラー部又はカラー前方壁面（２４）の（下方）部分、特に突出部（４０）が、部分的に開口部（３７）の領域に突き出ていることを特徴とする請求項１から４までのいずれか一つに記載のパッケージ。
【請求項６】
パッケージ前方壁面（１２）の開口部（３６）、カラー開口部（３９）及びマーク表示部（３８）は、それぞれ円形形状の輪郭を有し、相異なる寸法で互いに同心になる形に配置されていることを特徴とする請求項１から５までのいずれか一つに記載のパッケージ。
【請求項７】
開口部（３６，３７）又は少なくともマーク表示部（３８）は、初めてパーッケージを使用するまで、特にフィルムから成る外部包装（４１）を取り去るまで、好ましくは開口部（３６，３７）の領域にある外部包装（４１）のカバー層（４２）によって、隠されたままの状態にあることを特徴とする請求項１から６までのいずれか一つに記載のパッケージ。
【発明の詳細な説明】
【技術分野】
【０００１】
この発明は、少なくとも二つのブランク、すなわち好ましくはすべての側面において紙巻きたばこの一群を包む内側ブランクと、特にヒンジ蓋付パッケージを形成するための、紙、（薄い）ボール紙又は同様の材料から成る（外側の）パッケージ・ブランクとで構成される紙巻きたばこ用パッケージに関する。
【背景技術】
【０００２】
ヒンジ蓋付パッケージは、最も一般的な形式の紙巻きたばこ用パッケージとして、その構造とデザインを世界中に知られている。パッケージの内容物としての一群の紙巻きたばこは、紙巻きたばこを保護するための、紙、金属被膜した紙（錫箔）又は同様の材料から成る内側ブランク（インナーライナー）によって包まれている。（ヒンジ蓋付パッケージとして実現された）実際のパッケージは、一つの箱を形成する（薄い）ボール紙とそれと繋がった蓋体から構成されている。更に、別のブランクから作られるカラー部は、このパッケージの一部を構成している。このカラー部は、ボックス体の前方と側方の壁面領域に固定されている。通常、ヒンジ蓋付パッケージは、パッケージを初めて使用する時に開封帯を用いて取り去られる、プラスチックフィルムから成る外部包装によって包まれている。
【発明の開示】
【発明が解決しようとする課題】
【０００３】
この発明の課題は、外側のデザインに関して、特にマーク表示又は識別方法を改善することを目的として、ヒンジ蓋付の実施形態での消費者製品用のパッケージ、特に紙巻きたばこ用パッケージの更なる改良品を提供することである。
【課題を解決するための手段】
【０００４】
この課題を解決するための、この発明にもとづくパッケージは、以下の特徴によって特徴付けられる。
a)外側のブランクは、少なくとも一つのパッケージ壁面の領域において、少なくとも一つの開口部を配備されている。
b)内側のブランクは、完成品のパッケージにおいて、少なくとも部分的に上記開口部の領域内に在り、その開口部を通して外側から見える、少なくとも一つの印刷された領域及び／又はエンボス加工された領域を有する。
【０００５】
この発明は、パッケージ・ブランク、特にヒンジ蓋付パッケージの典型的なブランクが、外側に印刷されたデザインに関しても、事前に工場で加工されて、通常包装機械での処理に向けて、ブランクを積み重ねた形で配送されるという知見にもとづいている。このことは、包装機械又は関連装置の段階において、デザインに対する更なる変更を行うことを不可能にするものである。
【０００６】
これに対して、内側の包装紙用の包装材料、特に錫箔には、包装機械の段階で印刷又はエンボス加工、特にこの材料を相応にエンボス加工することによって、ラベル、エンブレム、記章又は同様なものを配備することができる。この特別な構成要素は、開口部の領域に配置して、従ってパッケージを閉じた時にも見えた状態のままとするものである。
【０００７】
この開口部は、好ましくはパッケージの前方壁面の領域、特にヒンジ蓋付パッケージの（下方の）ボックス体の前方壁面に配置されており、従って印刷又はエンボス加工された領域は、内側ブランクの内側の前方壁面の領域に配置される。一つの特別な特徴は、この開口部を特に拡大されたカラー部の領域に配置することであり、その際これらのカラー部及びボックス体の前方壁面は、互いに合致する開口部を有し、これらの開口部は、好ましくは異なる幾何学的デザインを持つものである。
【発明を実施するための最良の形態】
【０００８】
以下において、図面に図示した実施例にもとづき、この発明の更なる特徴を、より詳しく説明する。
【０００９】
図面に図示された実施例は、紙巻きたばこ用のヒンジ蓋付パッケージに関する。このタイプのパッケージは、（下方の）ボックス体１０と蓋体１１で構成されている。これらのパッケージの部分は、図３にもとづく共通の一体型のブランクから構成されている。この長く延びたブランクは、パッケージ前方壁面１２、底部壁面１３、パッケージ後方壁面１４、蓋体後方壁面１５、頂部壁面１６及び蓋体前方壁面１７に対応する繋がった領域を形成している。蓋体前方壁面と繋がっているのは、蓋体前方壁面１７の内側に折り返される蓋体内側タブ１８である。パッケージ後方壁面１４と蓋体後方壁面１５は、ヒンジジョイント線１９を介して互いに繋がっている。パッケージ側方壁面２０と蓋体側方壁面２１は、側方タブ２２，２３から構成されており、これらは、少なくとも部分的に互いに重なり合わされて、接着結合によって互いに接合される。
【００１０】
また、ヒンジ蓋付パッケージは、別個のブランクから成るカラー部を有する（図４、図６）。このカラー部は、カラー前方壁面２４と側面カラータブ２５で構成されている。このカラー部は、ボックス体１０の中に配置され、その際このカラー前方壁面２４は、パッケージ前方壁面１２の内側上に在って、それと（接着結合により）接合される。カラー部の上方部分は、ボックス体１０から突き出ており、蓋体１１が閉じた状態では、ボックス体によって包まれる。
【００１１】
パッケージの内容物、すなわち一群の紙巻きたばこは、紙又は錫箔、すなわち金属被膜した紙から成る内側ブランク（図７）によって包まれている。この内側ブランクは、パッケージの内容物を完全に包んでおり、従って内側前方壁面２７、内側底部壁面２８及び内側後方壁面２９の繋がった領域で紙巻きたばこのブロック２６を形成している。また、側面の折込タブ３０，３１が有り、これらは、相応に折って、部分的に重ね合わせることによって、完成した状態の紙巻きたばこのブロック２６において側方壁面を形成するものである。
【００１２】
これに対応して、頂部タブ３２，３３が配備さており、これらは、折り込まれて、上方頂部壁面を形成する。従来のとおり、内側ブランクの上方部分は、その前方側を除去可能なタブ又はフラップ３４として構成されている。この部分は、内側ブランクの残りの部分とは、横方向の切取線３５によって境界を定められている。このフラップ３４は、初めてパッケージを開封する時に、使用者が外側の頂部タブ３２を摘まんで引き千切るものである。
【００１３】
少なくとも一つのパッケージの壁面には、開口部３６，３７が設けられている。この開口部３６，３７は、好ましくはパッケージ前方壁面１２の領域に配置される。この開口部３６，３７は、内側ブランクの対応する表面領域、すなわち内側前方壁面２７を露出させる。従って、この部分は、この開口部３６，３７の領域において、外側から見えることとなる。
【００１４】
打抜きによって形成された開口部３６，３７は、様々な幾何学形状をとる、例えば三角形の領域（図１）又は円形の領域（図２，図８）を形成することができる。それ以外にも、複雑な幾何学形状の開口部３６，３７が好適である。
【００１５】
内側ブランクは、開口部３６．３７の領域にマーク表示部３８を有する。これは、ラベル、標章又はロゴの形状をとることができる。しかし、これは、出所、製造場所及び製造日に関して、パッケージ識別用情報又はデータを提供するようにすることもできる。錫箔から成る内側ブランクに対しては、このマーク表示部３８は、エンボス加工されたものである。これは、好ましくは内側ブランクに関して包装材料を準備している間、すなわち従来の包装材料の被膜を処理している間のエンボス加工ローラーの段階で適用される。このために、エンボス加工ローラーは、マーク表示部３８をエンボス加工するための円周部分を容易に交換可能として、マーク表示部３８を短時間で交換できるような形で構成することができる。紙又は同様の材料のインナーライナーに関して、マーク表示部３８は、好都合には包装機械の段階におけるのと同様に、印刷によって適用される。このマーク表示部３８は、開口部３６，３７のほぼ中心に現れるように適用される。
【００１６】
カラー部は、開口部３６，３７の形状及び位置に適合したものとされる。図１にもとづく実施例では、カラー部、特にカラー前方壁面２４は、パッケージ前方壁面１２の下方の領域にまで、すなわち底部壁面１３にまで又は底部壁面１３の近傍にまで延びている。開口部３６は、完全にカラー前方壁面２４の領域内に位置することとなる。カラー前方壁面には、カラー開口部３９が設けられている。これは、開口部３６，３７と同じ幾何学形状を持つことができる。好都合には、このカラー開口部３９は、特に開口部３６，３７より僅かに小さい寸法（直径）を持つ円形状に形成される。このカラー開口部３９は、パッケージ又はボックス体１０内おいてカラーの所定の相対位置をとった時に、カラー開口部３９が少なくとも部分的に開口部３６又は３７の領域内に、好ましくはほぼその中心に位置するように配置される。従って、内側包装に適用されるマーク表示部３８は、二つの打ち抜かれた領域、すなわち一方の開口部３６，３７と他方のカラー開口部３９を通して外側から見える。
【００１７】
図１、図３及び図４にもとづく実施例では、パッケージ前方壁面１２の開口部３６は、（正）三角形として形成されている。カラー開口部３９は、特に（同じく）円形状のマーク表示部３８と同心の円形状の領域として構成されており、このカラー開口部３９が開口部３６内に完全にかつほぼその中心に在る形で、より大きく又はより長くされたカラー前方壁面２４の下方領域に配置されている。
【００１８】
図２、図５及び図６の実施例では、カラー部（図６）には、カラー前方壁面２４の下方の境界領域にＶ字形状の突出部４０を設けている。カラー部の所定の相対位置とその寸法に応じて、この突出部４０の一部は、開口部３７の方に突き出る（図２）。そのため、カラー部又はカラー前方壁面２４のこの部分は、開口部３７内において見えることとなる。この場合、相対位置は、この突出部４０がマーク部３８の一部をも隠すように選定されている。
【００１９】
別の特徴は、図８、図９にもとづく実施例で実現されている。この場合、開口部３７は、パッケージ前方壁面１２の下方領域で、いずれの場合も完全にカラー部及びカラー前方壁面２４の下方に配置されている。この場合の特徴は、初めてパッケージが使用されるまで、開口部３７及びマーク表示部３８が隠されており、消費者は、パッケージを開封した時にマーク表示部３８に気付き、それによってマーク表示部とパッケージとの関連付けを持つことができることである。このため、外部包装４１、特にプラスチックフィルムから成るものが配備される。この透明フィルムの外部包装４１は、このようなパッケージ用に一般的に用いられており、開口部３７の領域、あるいは少なくともマーク表示部３８の領域に、外部包装４１を取り去るまで、マーク表示部３８を見えないように隠しているカバー層４２を設けている。このカバー層４２は、着色被膜の層又はこの包装紙の内側あるいは外側に付けた接着ラベルとすることができる。
【００２０】
一方のパッケージの開口部と他方の内側包装のマーク表示部の組み合わせは、パッケージの別の部分、例えば蓋体１１の領域に配置することもできる。外部包装４１を部分的にマスクした形の図９にもとづく実施形態では、カバー層４２は、蓋体１１の領域、すなわち開封帯４４で初めてパッケージを開封した時に外部包装から取り去られるフィルムキャップ４３の領域に配置される。
【００２１】
開口部３６，３７は、好都合にはブランクを工場で製作する間における打ち抜き作業によって、特に共通作業サイクルにおけるブランク自身の打ち抜きの際に作成される。
【図面の簡単な説明】
【００２２】
【図１】蓋体を開けた状態でのヒンジ蓋付パッケージの斜視図。
【図２】ヒンジ蓋付パッケージの別の実施例の図１に対応する図。
【図３】図１にもとづくヒンジ蓋付パッケージを展開したブランクの図。
【図４】図１にもとづくヒンジ蓋付パッケージのカラー部用ブランクの図。
【図５】図２にもとづくヒンジ蓋付パッケージのブランクの図。
【図６】図２にもとづくヒンジ蓋付パッケージのカラー部用ブランクの図。
【図７】内側ブランクの展開図。
【図８】ヒンジ蓋付パッケージの別の実施例の図１に対応する図。
【図９】蓋体を閉めた状態でプラスチックフィルムの外側包装紙を被せた図１、図２及び図８にもとづくヒンジ蓋付パッケージの図。
【符号の説明】
【００２３】
１０    ボックス体
１１    蓋体
１２    パッケージ前方壁面
１３    底部壁面
１４    パッケージ後方壁面
１５    蓋体後方壁面
１６    頂部壁面
１７    蓋体前方壁面
１８    蓋体内側タブ
１９    ヒンジジョイント線
２０    パッケージ側方壁面
２１    蓋体側方壁面
２２，２３    側方タブ
２４    カラー前方壁面
２５    カラータブ
２６    紙巻きたばこブロック
２７    内側前方壁面
２８    内側底部壁面
２９    内側後方壁面
３０，３１    折込タブ
３２，３３    頂部タブ
３４    フラップ
３５    切取線
３６，３７    開口部
３８    マーク表示部
３９    カラー開口部
４０    突出部
４１    外部包装
４２    カバー層
４３    フィルムキャップ
４４    開封帯
【図１】
2005537193.tif 000003
【図２】
2005537193.tif 000004
【図３】
2005537193.tif 000005
【図４】
2005537193.tif 000006
【図５】
2005537193.tif 000007
【図６】
2005537193.tif 000008
【図７】
2005537193.tif 000009
【図８】
2005537193.tif 000010
【図９】
2005537193.tif 000011
【国際調査報告】
2005537193.tif 000012
2005537193.tif 000013
2005537193.tif 000014
2005537193.tif 000015
2005537193.tif 000016
2005537193.tif 000017
2005537193.tif 000018
2005537193.tif 000019